(57)【特許請求の範囲】
【請求項１】
嫌気処理室と好気処理室と沈殿室と消毒室とを有し、屎尿を浄化処理する既設の単独処理浄化槽に対し、排水の好気処理を行うための好気槽、好気処理を行った排水の沈殿分離を行うための沈殿槽、排水の滅菌処理を行うための消毒槽、を有した合併処理化装置を配管接続し、上記単独処理浄化槽の好気処理室と沈殿室と消毒室を嫌気状態に保たせて全体を嫌気処理室として用い、嫌気処理室には濾材を不規則に充填し、その嫌気処理室から流出する排水を上記合併処理化装置の好気槽へと流入させて処理する単独処理浄化槽の合併処理化方法であり、
上記単独処理浄化槽においては、好気処理室に設けられていた好気状態を保つために使用する機器を停止又は取り除き、消毒室においては消毒薬剤を取り除き、
単独処理浄化槽には第１流入口から嫌気処理室に屎尿、台所排水、洗面排水、洗濯排水、及び浴槽浴室排水などの排水を流入させ、嫌気処理室に加えて嫌気状態とした好気処理室と沈殿室と消毒室にて固液分離及び嫌気処理を行い、消毒室を通過した処理液を消毒室に接続した第１流出口から移流管を介して上記合併化処理装置の接触ばっ気槽に第２流入口から流入させ、
合併処理化装置の接触ばっ気槽において好気性微生物による有機物の分解とアンモニアの硝化を行い、次いで沈殿槽により固液分離を行い、更に消毒室において滅菌して第２流出口から放流するとともに、
合併化処理装置の接触ばっ気室の底部から移送ポンプにより絶えず汚泥及び排水を引き上げてこれらを上記単独処理浄化槽の嫌気処理室に返送することにより、単独処理浄化槽内で嫌気処理並びに排水中の窒素成分除去を行い、返送された汚泥を上記単独処理浄化槽にて再処理することを特徴とする単独処理浄化槽の合併処理化方法。
【請求項２】
上記接触ばっ気槽の底部に設けた逆洗管から空気泡を吐出して毎日逆洗することを特徴とする請求項１に記載の単独処理浄化槽の合併処理化方法。
【請求項３】
単独処理浄化槽から合併処理化装置へ流入する排水が、流量調整槽を介して合併処理化装置へ流入することを特徴とする請求項１または２に記載の単独処理浄化槽の合併処理化方法。
【発明の詳細な説明】
【０００１】
【発明の属する技術分野】
本発明は、単独処理浄化槽の合併処理化方法に関する。
【０００２】
【従来の技術】
従来から、屎尿の浄化を行う装置としては、単独処理浄化槽を用いている。図５は、分離接触ばっ気方式の単独処理浄化槽を示す概略断面図である。屎尿は、流入口２から沈殿分離室３へと流入し、固液分離及び嫌気処理が行われ、接触ばっ気室４へと移流する。接触ばっ気室４内では、移流した排水が散気管７から散気される空気の泡により攪拌されて接触材８に接触し、好気性微生物により有機物の分解及びアンモニアの硝化が徐々に行われる。接触材８は、攪拌を継続していると生物膜が厚く堆積し閉塞するので、定期的に逆洗管９より空気泡を吐出することで生物膜を剥離させる。接触ばっ気室４を通過した排水は、沈殿室５にて固形分の沈殿分離を行った後に、分離した上澄み液を消毒室６へと移流させ、塩素剤による滅菌処理を施した後に流出口１０より放流される。
【０００３】
【発明が解決しようとする課題】
しかしながら、単独処理浄化槽は、処理すべき排水の種類が屎尿に限定され、台所排水、洗濯排水、洗面排水及び浴槽浴室排水等の生活雑排水を処理できないとの課題を有している。このような問題は、既設の単独処理浄化槽を撤去して新たに合併処理浄化槽を設置することで解決できるが、施工費用が高額となるばかりでなく、多くの単独処理浄化槽がＦＲＰ製であることから、不要となった単独処理浄化槽の処分に関しても新たな問題を発生させる。また、単独処理浄化槽を掘り起こすことなく、埋め殺す場合には、処分に関する問題が発生しないものの、土地の有効活用ができないとの別の問題を発生させる。
【０００４】
本発明は、上記のような課題に鑑みてなされたものであり、既設の単独処理浄化槽を有効利用することで、単独処理浄化槽の処分問題を解決すると共に、新たに合併処理浄化槽を購入するよりも安価に生活雑排水を処理可能とする単独処理浄化槽の合併処理化方法を提供することを目的とする。
【０００５】
【課題を解決するための手段】
本発明は、次のものに関する。
（１）嫌気処理室と好気処理室と沈殿室と消毒室とを有し、屎尿を浄化処理する既設の単独処理浄化槽に対し、排水の好気処理を行うための好気槽、好気処理を行った排水の沈殿分離を行うための沈殿槽、排水の滅菌処理を行うための消毒槽、を有した合併処理化装置を配管接続し、上記単独処理浄化槽の好気処理室と沈殿室と消毒室を嫌気状態に保たせて全体を嫌気処理室として用い、嫌気処理室には濾材を不規則に充填し、その嫌気処理室から流出する排水を上記合併処理化装置の好気槽へと流入させて処理する単独処理浄化槽の合併処理化方法であり、
上記単独処理浄化槽においては、好気処理室に設けられていた好気状態を保つために使用する機器を停止又は取り除き、消毒室においては消毒薬剤を取り除き、
単独処理浄化槽には第１流入口から嫌気処理室に屎尿、台所排水、洗面排水、洗濯排水、及び浴槽浴室排水などの排水を流入させ、嫌気処理室に加えて嫌気状態とした好気処理室と沈殿室と消毒室にて固液分離及び嫌気処理を行い、消毒室を通過した処理液を消毒室に接続した第１流出口から移流管を介して上記合併化処理装置の接触ばっ気槽に第２流入口から流入させ、
合併処理化装置の接触ばっ気槽において好気性微生物による有機物の分解とアンモニアの硝化を行い、次いで沈殿槽により固液分離を行い、更に消毒室において滅菌して第２流出口から放流するとともに、
合併化処理装置の接触ばっ気室の底部から移送ポンプにより絶えず汚泥及び排水を引き上げてこれらを上記単独処理浄化槽の嫌気処理室に返送することにより、単独処理浄化槽内で嫌気処理並びに排水中の窒素成分除去を行い、返送された汚泥を上記単独処理浄化槽にて再処理することを特徴とする単独処理浄化槽の合併処理化方法。
（２）上記接触ばっ気槽の底部に設けた逆洗管から空気泡を吐出して毎日逆洗することを特徴とする上記（１）に記載の単独処理浄化槽の合併処理化方法。
（３）単独処理浄化槽から合併処理化装置へ流入する排水が、流量調整槽を介して合併処理化装置へ流入することを特徴とする上記（１）または（２）に記載の単独処理浄化槽の合併処理化方法。
【０００６】
【発明の実施の形態】
本発明に用いる単独処理浄化槽は、屎尿の浄化を行うことができるものであれば特に限定されるものではなく、具体的には、従来技術にて説明したように、流入口及び流出口を有し、内部に上流側から沈殿分離室、接触ばっ気室、沈殿室、消毒室を設けたもの等を用いることができる。但し、消毒室に塩素剤等の消毒薬剤が設置されている場合には、これを取り除くようにする。
【０００７】
本発明に用いる単独処理浄化槽は、後述する合併処理化装置と配管接続して使用する際に、嫌気処理室として使用する。そのため、単独処理浄化槽に接触ばっ気室等の好気処理を行う槽が存在する場合には、好気状態を保つために使用する散気管等の機器を停止又は取り除くようにする。また、接触材等は、そのままの状態で使用してもよいが、不規則充填される濾材と交換することが好ましい。これは、好気処理に使用される濾材が、多くの場合規則充填されるために排水が拡散しにくく、不規則充填される濾材を使用することで、空間をより広く有効に使用できるためである。
【０００８】
本発明に用いる合併処理化装置は、排水の好気処理を行うための好気槽、好気処理を行った排水の沈殿分離を行うための沈殿槽、排水の滅菌処理を行うための消毒槽、を有している。
【０００９】
好気槽は、散気管等を用いて槽内を好気状態に保ち、好気性微生物による排水の好気処理を行えるものであれば特に限定されるものではなく、具体的には、濾材を充填した濾材層の下方から散気管により空気泡を吐出させ、好気状態を維持し、濾材層が生物膜により閉塞することがないように、定期的に濾材を攪拌させる程度の空気泡を吐出する逆洗管を備えた構造の槽を、好適に用いることができる。
【００１０】
好気槽に用いる濾材は、好気性微生物を多く保持可能であることから、網様円筒状、骨格様球状、へちま状、小円筒状、波板状、チューブ状、繊維絡み状等の合成樹脂製の成形体、独立気泡体又は連通気泡体を有した合成樹脂製の成形体、アンスラサイト（無煙炭）、珪砂、セラミック等の無機体を好適に用いることができる。
【００１１】
好気槽底部に堆積した汚泥を単独処理浄化槽へ返送する手段は、特に限定されるものではないが、具体的には、エアリフトポンプを好適に用いることができる。汚泥の返送は、排水中の窒素を除去することに使用され、汚泥返送が常時行われることが好ましく、また、単独処理浄化槽のできるだけ上流側に返送することが好ましい。
【００１２】
沈殿槽は、好気槽にて好気処理を行った排水の沈殿分離が行えるものであれば特に限定されるものではなく、具体的には、槽の下方より排水を流入させ、沈殿分離した上澄み液を槽の上方より次の消毒槽へと移流させるものを好適に用いることができる。
【００１３】
消毒槽は、沈殿槽より流入した排水の滅菌処理を行えるものであれば、特に限定されるものではなく、具体的には、塩素剤に接触させて滅菌を行うものを好適に用いることができる。
【００１４】
単独処理浄化槽から合併処理化装置へと排水を移流させるには、既設の単独処理浄化槽の流出口と、合併処理化装置の好気槽への流入口とを配管接続することで可能となる。また、排水は、好気槽へ移流させる際に、流量調整槽を介して移流すると、一時に大量に移流することがないので、安定して排水処理を行え好ましい。
【００１５】
本発明にて処理が可能な排水は、各家庭、施設等から排出される排水であれば特に限定されるものではなく、具体的には、屎尿はもちろん、台所排水（ディスポーザ排水を含む）、洗濯排水、洗面排水及び浴槽浴室排水等の生活雑排水を処理することができる。
【００１６】
【実施例】
以下図面を用いて、本発明の実施例を説明する。図１は、本発明の実施例を示す、合併処理化装置を単独処理浄化槽に配管接続したものであり、（ａ）は概略平面図を示し、（ｂ）は概略側断面図を示す。単独処理浄化槽１３は、既設のものであり、その内部構造は、上流側から第１流入口１１、嫌気処理室１７、好気処理室１８、沈殿室２１、消毒室２２、第１流出口１２を設けている。そして、上記単独処理浄化槽１３を用いて合併処理可能とするには、新たに合併処理化装置１６を設置すると共に、上記好気処理室１８に設置された散気管１９からの空気泡吐出を停止させる。
【００１７】
合併処理化装置１６は、その内部に好気槽として用いる接触ばっ気槽２３を有し、その接触ばっ気槽２３は、槽の内部に濾材の通過を妨げ排水を通過させる通水部材３５、３６の設置を行い、上記通水部材３５、３６間に濾材２７を充填している。通水部材３６の下部には、散気管２６が設けられ、この散気管２６は、好気処理を行うために使用され、常時空気泡の吐出を行っている。また、通水部材３６の下部には、散気管２６以外に逆洗管２８も設けられており、この逆洗管２８は、濾材２７に付着する生物膜の剥離を行う洗浄の際に使用され、１日１回の空気泡の吐出を１〜３０分程度行う。更に、接触ばっ気槽２３の下流側には、沈殿槽２４及び消毒槽２５を設けている。
【００１８】
単独処理浄化槽１３と合併処理化装置１６との配管接続は、第１流出口１２と第２流入口１４とを移流管３７により接続することで行われ、この際、単独処理浄化槽１３の消毒室２２内の消毒薬剤は取り去るようにする。
【００１９】
排水処理の方法について説明すると、家庭から排出される屎尿、台所排水（ディスポーザ排水を含む）、洗面排水、洗濯排水及び浴槽浴室排水（以下まとめて排水と言う）は、第１流入口１１から嫌気処理室１７へと流入して固液分離及び嫌気処理を行われる。排水は、嫌気処理室１７を通過した以後に好気処理室１８、沈殿室２１及び消毒室２２を順次通過するものの、散気管１９からの空気泡吐出を停止したことにより上記好気処理室１８、沈殿室２１及び消毒室２２は全て嫌気状態を保った嫌気処理室となっており、固液分離及び嫌気処理が引き続き行われる。
【００２０】
単独処理浄化槽１３の消毒室２２を通過した排水は、第１流出口１２から移流管３７を介して、合併処理化装置１６に設けられた第２流入口１４より接触ばっ気槽２３に流入する。接触ばっ気槽２３は、散気管２６から吐出される空気泡により好気状態が保たれ、排水は、濾材２７を通過することで好気性微生物により有機物の分解及びアンモニアの硝化が行われる。また、濾材２７は、継続的に排水を通過させていると、生物膜が厚くなり閉塞するので、定期的に逆洗管２８から散気管２６よりも多い空気泡を吐出させ、濾材２７を攪拌して洗浄を行う。
【００２１】
接触ばっ気槽２３を通過した排水は、沈殿槽２４に流入し、固液分離が行われると共に、接触ばっ気槽２３から持ち越した溶存酸素により好気処理が継続され、上澄み液は、消毒槽２５内で塩素剤に接触して滅菌処理を施され、第２流出口１５より放流される。
【００２２】
図２は、図１に示した合併処理化装置に汚泥移送装置を付加したものであり、（ａ）は概略平面図を示し、（ｂ）は概略側断面図を示す。本実施例では、合併処理化装置１６の接触ばっ気槽２３に、汚泥移送装置２９を設けている。汚泥移送装置２９は、汚泥引抜管３１がエアリフトポンプになっており、移送ポンプ３０を稼働させることで、汚泥及び排水を引き上げ汚泥移送管３２により、単独処理浄化槽１３の嫌気処理室１７へと汚泥及び排水を返送する。本実施例では、移送ポンプ３０を常に稼働させて、絶えず汚泥及び排水を返送することにより、単独処理浄化槽１３内で嫌気処理並びに排水中の窒素成分除去を行っている。また、返送された汚泥は、分解されずに残ったものであるので、これを再処理することで分解し汚泥量を減少させることができる。
【００２３】
図３は、図１に示した合併処理化装置に流量調整槽を付加した概略側断面図を示す。本実施例では、単独処理浄化槽１３から直接接触ばっ気槽２３へと排水を移流せずに、一旦流量調整槽３３に流入させた後、ポンプ３４を用いて上記接触ばっ気槽２３へと移流している。このように流量調整槽３３を設けた場合には、単独処理浄化槽１３への排水流入量変動によらず、接触ばっ気槽２３への定量移流が可能となるので、安定した排水処理を行うことができる。
【００２４】
図４は、図３に示す合併処理化装置と一体化させた流量調整槽を、合併処理化装置とは別体とした概略側断面図を示す。本実施例では、流量調整槽３３と合併処理化装置１６とを別体としたので、流量調整槽３３のみを地中埋設し、ポンプ３４により排水を合併処理化装置１６へと移送するので、合併処理化装置１６を地上設置することができる。
【００２５】
【発明の効果】
本発明は、既設の単独処理浄化槽を利用することにより排水の処理を可能としたので、単独処理浄化槽を処分して新たに合併処理浄化槽を設置するよりも、安価に処理を行うことが可能であり、単独処理浄化槽を処分する必要もなくなる。また、合併処理化装置に流量調整槽を設けた場合には、安定した排水処理を行うことができ、特に合併処理化装置と流量調整槽とを一体化せず別体として配管接続した場合には、流量調整槽のみを地下埋設すればよいので、設置を容易に安価に行うことができる。
【図面の簡単な説明】
【図１】本発明の実施例を示す、合併処理化装置を単独処理浄化槽に配管接続したものであり、（ａ）は概略平面図を示し、（ｂ）は概略側断面図を示す。
【図２】図１に示した合併処理化装置に汚泥移送装置を付加したものであり、（ａ）は概略平面図を示し、（ｂ）は概略側断面図を示す。
【図３】図１に示した合併処理化装置に流量調整槽を付加した概略側断面図を示す。
【図４】図３に示す合併処理化装置と一体化させた流量調整槽を、合併処理化装置とは別体とした概略側断面図を示す。
【図５】従来例を示す、分離接触ばっ気方式の単独処理浄化槽の概略断面図である。
【符号の説明】
１．単独処理浄化槽                    ２．流入口
３．沈殿分離室                        ４．接触ばっ気室
５．沈殿室                            ６．消毒室
７．散気管                            ８．接触材
９．逆洗管                            １０．流出口
１１．第１流入口                      １２．第１流出口
１３．単独処理浄化槽                  １４．第２流入口
１５．第２流出口                      １６．合併処理化装置
１７．嫌気処理室                      １８．好気処理室
１９．散気管                          ２０．好気濾材
２１．沈殿室                          ２２．消毒室
２３．接触ばっ気槽                    ２４．沈殿槽
２５．消毒槽                          ２６．散気管
２７．濾材                            ２８．逆洗管
２９．汚泥移送装置                    ３０．移送ポンプ
３１．汚泥引抜管                      ３２．汚泥移送管
３３．流量調整槽                      ３４．ポンプ
３５．通水部材                        ３６．通水部材
３７．移流管
【図１】
0004444430.tif 000002
【図２】
0004444430.tif 000003
【図３】
0004444430.tif 000004
【図４】
0004444430.tif 000005
【図５】
0004444430.tif 000006